(57)【要約】 【課題】  所望の文字、記号または、パッティングライン等をゴルフボールの表面に簡便にマーキングできて、使用者の便宜を図ることができる。【解決手段】  本体部１１には、活字１５をはめ込むことができるようになっている。この活字１５にインクを塗布した上で、ゴルフボールに押し付けることにより、所望の文字や記号、或いはパッティングラインをゴルフボールにマーキングすることができる。【選択図】    図１
2006341063.tif 000002
【特許請求の範囲】
【請求項１】
ゴルフボールに対応する曲面であって陽刻部を有する第１曲面を備え、該陽刻部にてマーキングを施すマーキング手段と、
該マーキング手段を支持する本体部と、
を含むゴルフボール用マーキング装置。
【請求項２】
前記マーキング手段は、
所定の厚さを有して、ゴルフボールに対応する曲率を有する弧状のフレーム、及び前記フレームをその直径方向に貫通する複数の活字挿入ホールを備えると共に、前記本体部に脱付着可能に支持される活字枠と、
前記活字挿入ホールに挿入されることにより前記活字枠に支持される活字と、
を含むことを特徴とする請求項１に記載のゴルフボール用マーキング装置。
【請求項３】
前記活字挿入ホールは、弧の中心の方へ行くほどその幅が狭くなって、前記活字挿入ホールに挿入された活字もこれに対応して、端部へ行くほどその幅が狭くなることを特徴とする請求項２に記載のゴルフボール用マーキング装置。
【請求項４】
前記マーキング手段は、
所定の厚さを有して、ゴルフボールに対応する曲率を有する弧状のフレーム、及び前記フレームの内側面に円周方向に形成される突条部を備えると共に、前記本体部に脱付着可能に支持されるラインマーキング具である、
ことを特徴とする請求項１に記載のゴルフボール用マーキング装置。
【請求項５】
前記本体部は、前記弧状のフレームが挿入される凹部を備えることを特徴とする請求項２または４のいずれかに記載のゴルフボール用マーキング装置。
【請求項６】
前記本体部は、凹部を備え、
前記マーキング手段は、活字を支持するための活字挿入ホールを複数有する活字枠、を備え、
該活字枠は、前記本体部の凹部に固定されてなる、
ことを特徴とする請求項１に記載のゴルフボール用マーキング装置。
【請求項７】
マーキングを行う際に第２曲面にてゴルフボールを受ける支え部、
をさらに含むことを特徴とする請求項１に記載のゴルフボール用マーキング装置。
【請求項８】
前記本体部と前記支え部は、開閉自在にヒンジ結合された、ことを特徴とする請求項７に記載のゴルフボール用マーキング装置。
【請求項９】
前記第２曲面には、ゴルフボールの転動を抑制するための固定パッドが配置されたことを特徴とする請求項７に記載のゴルフボール用マーキング装置。
【請求項１０】
前記支え部は、前記第２曲面を複数備え、
前記本体部は、これら複数の第２曲面に対応する各位置に配置される前記マーキング手段を複数備えた、
ことを特徴とする請求項７に記載のゴルフボール用マーキング装置。
【請求項１１】
請求項１ないし１０のうち選択される、いずれかの請求項に記載のマーキング手段にインクを塗布するスタンプ装置において、
前記マーキング手段の第１曲面に対応する上面を有して、内部には、インク収容空間を有するスタンプ本体と、
前記スタンプ本体の上面と前記インク収容空間と連通する貫通部と、
前記上面に付着されて、前記貫通部を通じて供給されるインクを吸収するスタンプパッドとを含むスタンプ装置。
【請求項１２】
前記インク収容空間には、フィルタが共に充填され、
前記スタンプパッドは、フェルト材質で構成される、
ことを特徴とする請求項１１に記載のスタンプ装置。
【発明の詳細な説明】
【技術分野】
【０００１】
本発明は、使用者を識別することができる記号、文字または、図形等をゴルフボールの表面に簡便にマーキングできるゴルフボール用マーキング装置、及び該マーキング装置に使用されるスタンプ装置に関する。
【背景技術】
【０００２】
ゴルフの大衆化に伴ってゴルフ場でプレイする人の数も増えてきているが、ゴルフ場の数が少ないために、ほとんどのゴルフ場では、過密なスケジュール下でのラウンディングが行われており、多人数でラウンディングを行う機会も増えているのが実情である。
【０００３】
このように多人数でのラウンディングを行う時、ゴルフボールを誰のものだか識別できない事態が生じることがある。
【０００４】
このようなことを防ぐため、各々がサインペンやマーカーペンで自分のゴルフボールに所定のマーキングをして置いたり、名前やイニシャル等を表記して置いたりすることが行われている。
【発明の開示】
【発明が解決しようとする課題】
【０００５】
ところが、曲面の表面を有する小さいゴルフボールに、正確に手でこのようなマーキングをすることは難しく、大きくマーキングし過ぎると、美観上にも逆効果があるだけではなく、プレーにも大きい支障がもたらされる。
【０００６】
本発明は、このような問題を解決するために、ゴルフボールの表面に自分が望む文字、記号（さらには、必要に応じてパッティングライン）等が簡便にマーキングできる用マーキング装置、及び該マーキング装置に使用するスタンプ装置を提供することを目的とする。
【課題を解決するための手段】
【０００７】
本発明は、このような目的を達成するために、ゴルフボールに対応する曲面であって陽刻部を有する第１曲面を備え、該陽刻部にてマーキングを施すマーキング手段と、該マーキング手段を支持する本体部と、を含むゴルフボール用マーキング装置を提供する。
【０００８】
前記マーキング手段は、所定の厚さを有して、ゴルフボールに対応する曲率を有する弧状のフレーム、及び前記フレームをその直径方向に貫通する複数の活字挿入ホールを備えると共に、前記本体部に脱付着可能に支持される活字枠と、前記活字挿入ホールに挿入されることにより前記活字枠に支持される活字とを含むことを特徴とする。
【０００９】
この時、前記活字挿入ホールは、弧の中心の方へ行くほどその幅が狭くなって、前記活字挿入ホールに挿入された活字もこれに対応して、端部へ行くほどその幅が狭くなる。
【００１０】
また、前記マーキング手段は、所定の厚さを有して、ゴルフボールに対応する曲率を有する弧状のフレーム、及び前記フレームの内側面に円周方向に形成される突条部を備えると共に、前記本体部に脱付着可能に支持されるラインマーキング具である。
【００１１】
前記本体部は、前記弧状のフレームが挿入される凹部を備える。
【００１２】
また、前記本体部は、凹部を備え、前記マーキング手段は、活字を支持するための活字挿入ホールを複数有する活字枠、を備え、該活字枠は、前記本体部の凹部に固定されてなる、ことを特徴とする。
【００１３】
マーキングを行う際に第２曲面にてゴルフボールを受ける支え部をさらに含み、前記本体部と前記支え部は、開閉自在にヒンジ結合される。また、前記第２曲面には、ゴルフボールの転動を抑制するための固定パッドが配置される。
【００１４】
前記支え部は、前記第２曲面を複数備え、前記本体部は、これら複数の第２曲面に対応する各位置に配置される前記マーキング手段を複数備える。
【００１５】
また、本発明は、前記マーキング手段にインクを塗布するスタンプ装置において、前記マーキング手段の第１曲面に対応する上面を有して、内部には、インク収容空間を有するスタンプ本体と、前記スタンプ本体の上面と前記インク収容空間と連通する貫通部と、前記上面に付着されて、前記貫通部を通じて供給されるインクを吸収するスタンプパッドとを含むスタンプ装置を提供する。
【００１６】
前記インク収容空間には、フィルタが共に充填され、前記スタンプパッドは、フェルト材質で構成される。
【発明の効果】
【００１７】
ゴルフボールの表面に望む文字、記号または、パッティングライン等が簡便にマーキングできて、使用者の便宜を図ることができる。
【発明を実施するための最良の形態】
【００１８】
以下、図面に沿って、本発明を実施するための最良の形態について説明する。
【００１９】
本発明に係るゴルフボール用マーキング装置は、ゴルフボールにマーキングを施すためのマーキング手段（図２、図８及び図１２等参照）と、該マーキング手段を支持する本体部（図１の符号１１、図１０(a)の符号５１、図１３(a)の符号８３等参照）と、を備えている。このうち、マーキング手段は、ゴルフボールに対応する第１曲面を有しており、該第１曲面には、記号、文字、数字、図形等を逆像に陽刻した陽刻部（例えば、図１２の符号７２参照）が配置されている。
【００２０】
マーキング手段は、図１及び図２に示すように、所定の厚さを有して、ゴルフボールに対応する曲率を有する弧状のフレーム１４ａ、及び前記フレーム１４ａをその直径方向に貫通する複数の活字挿入ホール１４ｂを備えると共に、前記本体部１１に脱付着可能に支持される活字枠１４と、前記活字挿入ホール１４ｂに挿入されることにより前記活字枠１４に支持される活字１５と、により構成すると良い。その場合、前記活字挿入ホール１４ｂは、図３に示すように、弧の中心の方へ行くほどその幅が狭くなって、前記活字挿入ホール１４ｂに挿入された活字１５もこれに対応した形状（つまり、活字１５の端部へ行くほどその幅が狭くなるような形状）にすると良い。
【００２１】
図２に示したようなマーキング手段の替わりに、パッティングラインをマーキングするようなラインマーキング具を用いても良い。このラインマーキング具は、図８に例示するように、所定の厚さを有して、ゴルフボールに対応する曲率を有する弧状のフレームと、前記フレームの内側面に円周方向に形成される突条部２１とにより構成すると良く、前記本体部１１に脱付着可能に支持されるようにしておくと良い。
【００２２】
前記本体部１１には、図１に示すように、前記マーキング手段（具体的にはフレーム）が挿入される凹部１３を形成しておくと良い。
【００２３】
上述したマーキング手段は本体部１１に対して着脱自在に構成されているが、マーキング手段を本体部に固定しても良い。図１０(b)は、そのような構成の一例を示す図であって、該本体部５１は凹部を有しており、該凹部には、例えば図１２に示すような、活字７０を支持するための活字挿入ホール６１を複数備える活字枠６０が固定されている。
【００２４】
マーキングを行う際に第２曲面にてゴルフボールを受ける支え部（図７の符号１６参照）、を設けておいて、上述した第１曲面とこの第２曲面とでゴルフボールを挟むようにしても良い。図１３(a)に示すように、支え部８１を、本体部８３にヒンジ結合しておいて、開閉自在に構成しておくと良い。また、この第２曲面には、ゴルフボールの転動を抑制するための固定パッドを配置しておくと良い。前記支え部８１は、図１４に示すように、前記第２曲面を複数備えるようにし（符号８２参照）、前記本体部８３は、これら複数の第２曲面に対応する各位置に配置される前記マーキング手段を複数備えるようにしても良い。
【００２５】
上述したマーキング手段にインクを塗布するスタンプ装置において、例えば図６に示すように、前記マーキング手段の第１曲面に対応する上面を有して、内部には、インク収容空間を有するスタンプ本体３２と、前記スタンプ本体３２の上面と前記インク収容空間と連通する貫通部３４と、前記上面に付着されて、前記貫通部３４を通じて供給されるインクを吸収するスタンプパッド３３とによって構成したものを挙げることができる。前記インク収容空間には、フィルタが共に充填され、前記スタンプパッド３３は、フェルト材質で構成されるようにすると良い。
【実施例１】
【００２６】
図１は、本発明の実施例１に係るゴルフボール用マーキング装置１０の分解斜視図であって、該ゴルフボール用マーキング装置１０は、同図に示すように、所定の厚さを有する弧状の本体部１１と、前記本体部１１の内側に結合される活字枠１４と、ゴルフボールに対応する曲率を有する第２曲面の安置面１７を有するゴルフボールの支え部１６と、を含む。
【００２７】
本体部１１の内側には、活字枠１４が挿入される凹部１３が円周方向に沿って形成されて、上側には、取っ手１２が結合される。
【００２８】
活字枠１４は、本体部１１の凹部１３に対応する厚さを有して、前記凹部１３に脱付着可能（着脱可能）に結合される。結合方式は、強制はめ込み方式が最も簡便である。
【００２９】
また、活字枠１４は、図２に示したように、ゴルフボールに対応する曲面(第１曲面)を有する弧状のフレーム１４ａと、前記フレーム１４ａを直径方向に貫通する活字挿入ホール１４ｂを含む。
【００３０】
活字挿入ホール１４ｂに挿入される活字１５は、活字本体１５ａと、活字本体１５ａの上段で、側方に突出される突出端１５ｂと、活字本体１５ａの底面に記号、文字等が陽刻された陽刻部(図示せず)を含む。
【００３１】
各活字挿入ホール１４ｂの上段の一側には、所定間隔の凹溝１４ｃを多数備えるが、前記凹溝１４ｃは、活字の突出端１５ｂが挿入される部分であって、活字１５の形状によって省略されることもある。
【００３２】
使用者は、活字の突出端１５ｂをピンセット等で挟むことにより、活字１５を活字挿入ホール１４ｂに簡便に挿入することができる。
【００３３】
一方、前記活字挿入ホール１４ｂは、図２のＩＩＩ−ＩＩＩ′線に沿った断面図である図３に示したように、下部の方へ行くほど、すなわち、弧状のフレーム１４ａの中心の方へ行くほど幅が狭くなるように加工されることが好ましい。
【００３４】
この場合、活字本体１５ａもこれに対応して下部の方へ行くほど、幅が細くなる形状を有することが好ましくて、このことにより活字１５を活字挿入ホール１４ｂに挿入することができる。
【００３５】
図４は、本体部１１に活字枠１４が結合された状態を示した斜視図であって、同図に示す活字枠１４には多数の活字１５が結合されている。前記活字１５にインクを塗布してゴルフボールを押し付ければ、様々な文字や記号をゴルフボールにマーキングすることができる。
【００３６】
図５は、スタンプ３０を利用して活字１５にインクを塗布する様子を示した図であって、前記スタンプ３０は、スタンプ３０の支え部３１と、スタンプ３０の支え部３１の上面に固定されて、活字枠１４に対応する曲面を有するスタンプの本体３２と、スタンプの本体３２の曲面に付着されるスタンプパッド３３とを含む。該本体３２は、その内部にインク収容空間を有している。
【００３７】
スタンプの本体３２は、図６に示したように、円周方向に開口された貫通部３４を備えており、前記貫通部３４は、該開口とインク収容空間とを連通している。そして、前記貫通部３４を覆うように、繊維材質のスタンプパッド３３が付着されていて、インクの収容空間から該スタンプパッド３３がインクを吸収するようになっている。
【００３８】
スタンプの本体３２には、インクだけを貯蔵するようにしても良いが、インクの他にフィルタを収容しておき、該フィルタを前記スタンプパッド３３に連結しておいて、インクがフィルタにて吸収されてスタンプパッド３３にまで円滑に供給されるようにしても良い。
【００３９】
上述したスタンプパッド３３は、活字枠１４が直接接する部分であるために、所定の耐久性が要求されて、フェルト材質で製作されることが好ましい。
【００４０】
このようなゴルフボール用マーキング装置１０は、片手で掴んでゴルフボールに押し付けて使用すれば良い。その場合、ゴルフボールは他方の手に握っていても良いが、ゴルフボールの振れを防止して綺麗なマーキングを行うには、図７に示したように、支え部１６にセットした状態のゴルフボール１にゴルフボール用マーキング装置１０を押し付けると良い。
【００４１】
この時、ゴルフボールの支え部１６の安置面（図１の符号１７参照）には、ゴルフボールの揺動（振れ）を防ぐために、ゴムのような摩擦係数の高い材質を利用した固定用パッドが付着されることもある。
【００４２】
以上では、活字を利用してゴルフボールに文字、記号等をマーキングする場合を説明したが、パッティングの練習のために、パッティングラインをマーキングさせたい場合もあるので、その時には、図８に示したようなラインマーキング具２０を活字枠１４の代わりに使用すると良い。
【００４３】
ラインマーキング具２０は、活字枠１４のフレームのように弧状のフレームを有して、活字挿入ホールの代わりにフレームの底面に円周方向に沿って突条部２１を備えることを特徴とする。
【００４４】
従って、使用者がパッティングラインをマーキングしたい場合には、本発明のゴルフボール用マーキング装置１０の本体部１１に活字枠１４の代わりにラインマーキング具２０を結合して、スタンプ３０を利用して突条部２１にインクを塗布した後に、ゴルフボールにマーキングする。
【００４５】
以上のようなゴルフボール用マーキング装置１０、ラインマーキング具２０、スタンプ３０等は、１つのセットで提供されることが好ましいために、図９に示したような保管箱４０と共に提供されることが好ましい。
【００４６】
前記保管箱４０には、ゴルフボール用マーキング装置１０、ラインマーキング具２０、スタンプ３０等が収められてあり、さらにその下側には、保管箱側面から引き出すことのできる引き出し型活字保管部４１が収納されている。活字保管部４１には、活字１５が、活字１５をつまむピンセット４２と共に保管されることが好ましい。なお、保管箱４０の上部には、カバー４３が結合される。
【実施例２】
【００４７】
図１０(a)ないし図１０(c)は、それぞれ、本発明の実施例２に係るゴルフボール用マーキング装置５０の斜視図（具体的には、底面を見上げた状態の斜視図）、断面図及び底面図である。本実施例に係るゴルフボール用マーキング装置５０は、それらの図に明らかなように、四角柱状の本体部５１と、ゴルフボールに対応する曲率を有して、本体部５１の一面（具体的には底面）に形成される凹面５３と、前記凹面５３に固定される活字枠６０とを含む。
【００４８】
本発明の実施例１に係るゴルフボール用マーキング装置１０においては、活字枠１４やラインマーキング具２０が本体部１１に対して脱付着可能（着脱可能）に構成されていたが、実施例２の場合には、活字枠６０が本体部５１に固定されている（つまり、着脱不能である）ことを特徴とする。
【００４９】
従って、活字７０は、活字枠６０の内側から（図１０(b)の場合には下側から）挿入される。
【００５０】
なお、本体部５１の形状は四角柱状に限られるのではなく、円柱、多角柱等の柱状としても、薄い皮で構成される半球殻状としても良い。また、実施例１のような所定の厚さの弧状としても良い。
【００５１】
図１０(a)及び(b)中の符号５２に示すものは、本体部５１の上部に結合された取っ手である。該取っ手５２は、使用者が手軽に把持できるようにするためのものであるが、省略しても構わない。
【００５２】
ゴルフボール１は、マーキングの際には、図１１に示したように、前記凹面５５の内部に挿入されて、活字枠６０に固定された活字７０に密着されなければならないので、前記活字枠６０の曲面もゴルフボール１のような程度の曲率を有しなければならない。凹面５３の深さは、ゴルフボール１が挿入される程度であれば、特別な制限はない。
【００５３】
図１２は、凹面５３に固定される活字枠６０の形状の一例を示したものである。該活字枠６０は、ゴルフボールに対応する曲率の面を有し、活字７０を付着または、脱着可能な活字挿入ホール６１を多数備える。
【００５４】
前記活字挿入ホール６１は、貫通ホールとしても、凹の挿入ホールとしても良い。図示のホール６１は略四角形をしているが、四角形に限定されるのではない。
【００５５】
活字枠６０の長さは、活字挿入ホール６１の数に応じて変更すれば良く、活字挿入ホール６１の数は、約１０個ないし２０個程度であれば構わない。
【００５６】
活字挿入ホール６１に挿入された活字７０は、外れにくいようにしておく必要がある。具体的には、活字７０の幅を活字挿入ホール６１より多少大きく製作して、強制はめ込み方式で結合することが好ましく、このために活字枠６０は、弾性のある材質を利用して製作することが好ましい。
【００５７】
一方、このように活字枠６０を別途製作して、凹面５３に付着する代わりに凹面５３の内側を直接加工して活字７０をはめ込む活字挿入ホールを形成することができる。
【００５８】
活字７０は、識別表示を印刷するためのものであって、文字、数字、記号、図形等のどれでも構わなく、ゴルフボールの表面に密着されるためには、前記活字枠６０または、ゴルフボールの表面のような程度の曲率を有することが好ましい。
【００５９】
活字７０の構成を察すると、図１２に示したように、活字本体７１と、活字本体７１の一面に記号、文字、数字、図形等を逆像に陽刻した陽刻部７２で構成される。
【００６０】
活字本体７１は、活字枠６０に強制はめ込み方式で付着及び脱着されるために、所定の耐久性と弾性を有する材質で製作されることが好ましく、陽刻部７２は、曲面を有するゴルフボールの表面に密着される部分であるために、上面がゴルフボールのような曲率を有することが好ましい。
【００６１】
特に、ゴルフボールの表面には、空気抵抗を縮めるために、多数のディンプルが形成されているので、前記陽刻部７２の上面がゴルフボールの表面のディンプルにも密着され正確な表示が印刷されるためには、前記陽刻部７２をゴムのような弾性のある材質で製作することがさらに好ましい。
【００６２】
また、活字７０を活字枠６０に固定して、ゴルフボール１にマーキングをする前に、活字７０にインクを塗布することは言うまでもない。
【００６３】
さらに、活字枠６０に付着して使用される活字７０は、数十のいろいろな種類があって、活字に塗布するインクや塗布用小型ルーラー等を使用者が別途に所持することは大変面倒であるために、本体部５１または、取っ手５２にこれらが保管できる空間を備えて、活字、インク、小型ルーラー等を一括的に保管することもできる。
【実施例３】
【００６４】
図１３(a)及び図１３(b)は、それぞれ、本発明の実施例３に係るゴルフボール用マーキング装置８０の斜視図及び結合断面図を示している。該ゴルフボール用マーキング装置８０は、ゴルフボール１が挿入される凹の曲面(第２曲面)のゴルフボールの安置溝８２を有するゴルフボールの支え部８１と、前記ゴルフボールの安置溝８２の曲面と共に、ゴルフボール１を取り囲む凹面８４を有する本体部８３と、前記ゴルフボールの支え部８１と本体部８３を結合するヒンジ８６とを含む。
【００６５】
前記本体部８３やゴルフボールの支え部８１は、図示したような四角柱状に限られるのではなく、四角柱状以外の多角柱や円柱等の柱状としても、半球殻状としても良い。
【００６６】
ゴルフボールの安置溝８２は、ゴルフボールのような曲率の曲面で構成されることが好ましく、特に、ボールの動きを防ぐ（転動を抑制する）ために、内面にゴルフボールの表面と密着する固定用パッド８７を付着して置くことが好ましい。
【００６７】
固定用パッド８７は、ゴム等のような摩擦係数の高い材質を利用することが好ましいが、ゴルフボールの安置溝８２の表面の粗さを高める処理をして同一な効果を得ることもできる。
【００６８】
本体部８３に形成された凹面８４と、その内側に固定される活字枠６０及び活字７０は、実施例２で説明した内容と同様なので省略する。
【００６９】
一方、使用者は、本発明によるゴルフボール用マーキング装置８０以外にも、これに使用される多数の活字７０、活字７０に塗布するインク、塗布用小型ルーラー等を所持しなければならないが、これを直接所持することは、面倒であるために、別途の保管手段を備えることが好ましい。
【００７０】
図１３(b)及び(c)中の符号８８がこのような保管箱を示している。この保管箱８８は、本体部８３の上部に配置されたものであり、仕切り板８９によってルーラー保管部８８ａ、活字保管部８８ｂ、インク保管部８８ｃとに分割していて、保管箱８８の上部には、カバー８５をヒンジ結合した。
【００７１】
インク保管部８８ｃには、活字７０に塗布するインクチューブ等を貯蔵しておき、ルーラー保管部８８ｂには、インクチューブのインクを塗布する小型ルーラーや筆等を保管しておき、活字保管部８８ｂには、活字７０（特に、よく使用される記号、文字、数字、図形等が逆状に陽刻された活字７０）を多数保管しておく。
【００７２】
図１３(b)及び(c)に示す例では、保管箱８８は本体部８３の上部に配置しているが、もちろんこれに限られるものではなく、支え部８１の下部に配置しても良く、本体部８３や支え部８１の側面に配置しても良い。また、保管箱８８をこのように多数の区画に分割しなくてもいい。
【実施例４】
【００７３】
図１４は、本発明の実施例４に係るゴルフボール用マーキング装置８０を示している。図示のゴルフボール用マーキング装置８０は、基本的には、実施例３と同一であって、ゴルフボールの支え部８１が３つのゴルフボールの安置溝８２を備えて、本体部８３が前記ゴルフボールの安置溝８２に各々対応する凹面８４を３つ備えている。
【００７４】
従って、多数のゴルフボールにつき、同時に望むマーキングができる。なお、ゴルフボールの安置溝８２及び凹面８４の数は、３つずつに限定されるものではなく、２つずつでも、４つ以上ずつであっても構わない。
【００７５】
ところで、上述したゴルフボール用マーキング装置５０、８０を使用するには、活字７０の表面にインクを塗布しなければならない。そのようなインクの塗布は、前述したような小型ルーラーによって行うこともできるが、図１５に示したようなスタンプ９０により行っても良い。以下、前記実施例３ないし実施例４により説明された図１３(a)ないし図１４を参照して説明する。
【００７６】
前記スタンプ９０は、本体部８３の凹面８４に固定された活字枠６０と同一な曲率の曲面を上面に備えるスタンプ本体９１と、前記スタンプ本体９１の曲面に付着されてインクを保持しているスタンプパッド９２と、前記スタンプパッド９２からのインクの蒸発を防ぐためのスタンプカバー９３とを含む。
【００７７】
スタンプ本体９１の曲面は、半球形態であったり、活字だけにインクを塗布すればいいので、図５に示したような所定の厚さを有する弧状であったりする。
【００７８】
スタンプ本体９１は、内部にインクの収容空間を備えて、スタンプパッド９２へとインクが継続的に供給されるように、前記インクの収容空間と連通される貫通部を備える。
【００７９】
スタンプカバー９３は、図示したように、本体部９１と別体となるように構成して、強制はめ込み方式で本体部９１と結合するようにしても良いが、本体部９１にヒンジ結合させても良い。
【００８０】
以上では、本発明の望ましい実施例に限って説明したが、当業者により多様に修正ないし変形して実施されて、このように修正ないし変形して実施される技術であっても、後述する特許請求の範囲に記載された本発明の技術的思想を基づいているならば、本発明の権利範囲に属することは言うまでもない。
【図面の簡単な説明】
【００８１】
【図１】本発明の実施例１に係るゴルフボール用マーキング装置を示す分解斜視図である。
【図２】本発明の望ましい実施例による活字枠の斜視図である。
【図３】図２のＩＩＩ−ＩＩＩ′線に沿った断面図である。
【図４】本体部に活字枠が結合された状態を示した斜視図である。
【図５】スタンプの使用状態を示す斜視図である。
【図６】スタンプの分解斜視図である。
【図７】本発明の実施例１に係るゴルフボール用マーキング装置の使用状態図である。
【図８】ラインマーキング具の斜視図である。
【図９】本発明の実施例１に係るゴルフボール用マーキング装置の保管箱を示した斜視図である。
【図１０（ａ）】(a)は、本発明の実施例２に係るゴルフボール用マーキング装置の斜視図（具体的には、底面を見上げた状態の斜視図）である。
【図１０（ｂ）】(b)は、本発明の実施例２に係るゴルフボール用マーキング装置の断面図である。
【図１０（ｃ）】(c)は、本発明の実施例２に係るゴルフボール用マーキング装置の底面図である。
【図１１】本発明の実施例２に係るゴルフボール用マーキング装置の使用状態図である。
【図１２】活字枠の形状の一例を示す図面である。
【図１３（ａ）】(a)は、本発明の実施例３に係るゴルフボール用マーキング装置を示す斜視図である。
【図１３（ｂ）】(b)は、本発明の実施例３に係るゴルフボール用マーキング装置を示す結合断面図である。
【図１３（ｃ）】(c)は、本発明の実施例３に係るゴルフボール用マーキング装置の上部に備えられた活字保管部を示した図面である。
【図１４】本発明の実施例４に係るゴルフボール用マーキング装置を示す斜視図である。
【図１５】スタンプを示す斜視図である。
【符号の説明】
【００８２】
１０、５０、８０：ゴルフボール用マーキング装置
１１：本体部
１２：取っ手
１３：凹部
１４：活字枠
１５：活字
１６：ゴルフボールの支え部
１７：安置面
２０：ラインマーキング具
３０：スタンプ
４０：保管箱
【図１】
2006341063.tif 000003
【図２】
2006341063.tif 000004
【図３】
2006341063.tif 000005
【図４】
2006341063.tif 000006
【図５】
2006341063.tif 000007
【図６】
2006341063.tif 000008
【図７】
2006341063.tif 000009
【図８】
2006341063.tif 000010
【図９】
2006341063.tif 000011
【図１０（ａ）】
2006341063.tif 000012
【図１０（ｂ）】
2006341063.tif 000013
【図１０（ｃ）】
2006341063.tif 000014
【図１１】
2006341063.tif 000015
【図１２】
2006341063.tif 000016
【図１３（ａ）】
2006341063.tif 000017
【図１３（ｂ）】
2006341063.tif 000018
【図１３（ｃ）】
2006341063.tif 000019
【図１４】
2006341063.tif 000020
【図１５】
2006341063.tif 000021